(57)【要約】【課題】搬送不良を抑制できる搬送装置を提供する。【解決手段】搬送装置を有する両面印刷装置１は、片面印刷済みの印刷用紙ＰＡ及び未印刷の印刷用紙ＰＡを搬送するレジストローラ２１と、片面印刷済みの印刷用紙ＰＡをレジストローラ２１にガイドするガイド板７１及びガイド板７２と、未印刷の印刷用紙ＰＡをレジストローラ２１にガイドするガイド板７２（７４）及びガイド板７３（７５）とを備えている。ガイド板７１とガイド板７２との搬入口の開口角度θ１は、ガイド板７２（７４）とガイド板７３（７５）との搬入口の開口角度θ２（θ３）よりも大きい。【選択図】図３
2011053284.tif 000002
【特許請求の範囲】
【請求項１】
片面印刷済みの印刷用紙及び未印刷の印刷用紙を搬送する合流搬送部と、
片面印刷済みの印刷用紙を前記合流搬送部にガイドする第１ガイド板及び第２ガイド板と、
未印刷の印刷用紙を前記合流搬送部にガイドする第３ガイド板及び第４ガイド板とを備え、
前記第１ガイド板と第２ガイド板との搬入口の開口角度は、前記第３ガイド板と前記第４ガイド板との搬入口の開口角度よりも大きいことを特徴とする搬送装置。
【請求項２】
前記第１ガイド板また前記第２ガイド板の搬入口側の端部と前記合流搬送部との間に設けられ、前記片面印刷済みの印刷用紙を前記合流搬送部へと引き込む引き込み搬送部を備えることを特徴とする請求項１に記載の搬送装置。
【請求項３】
前記引き込み搬送部は、前記片面印刷済みの印刷用紙の未印刷面側に配置されていることを特徴とする請求項２に記載の搬送装置。
【請求項４】
前記引き込み搬送部を制御する制御部を備え、
前記制御部は、前記片面印刷済みの印刷用紙が前記第１ガイド板と前記第２ガイド板との間に搬入される搬入速度よりも、前記引き込み搬送部による搬送速度を速く制御することを特徴とする請求項２または請求項３に記載の搬送装置。
【発明の詳細な説明】
【技術分野】
【０００１】
本発明は、両面印刷装置に設けられる搬送装置であって、片面印刷済みの印刷用紙と未印刷の印刷用紙とが合流する領域に設置される搬送装置に関する。
【背景技術】
【０００２】
現在、両面印刷装置に用いられる印刷用紙を搬送するための搬送装置が知られている。特許文献１には、レジストローラと、未印刷の印刷用紙をレジストローラへと搬送する第１ガイドローラと、片面印刷済みの印刷用紙をレジストローラへと再給紙するための第２ガイドローラとを備えた両面印刷装置が開示されている。
【０００３】
特許文献１の両面印刷装置では、給紙トレイから搬送された未印刷の印刷用紙が第１ガイドローラによってレジストローラへと搬送される。この後、印刷用紙は、片面に画像が印刷された後、反転される。次に、印刷用紙は、第２ガイドローラによってレジストローラへと搬送された後、他方の面に画像が印刷される。この後、印刷用紙が排紙されて、両面印刷が終了する。
【先行技術文献】
【特許文献】
【０００４】
【特許文献１】特開２００２−２７４７３１号公報
【発明の概要】
【発明が解決しようとする課題】
【０００５】
しかしながら、特許文献１の両面印刷装置の搬送装置では、片面印刷済みの印刷用紙を第２ガイドローラによってレジストローラへとガイドしている。ここで、印刷用紙の片面が印刷されると、印刷用紙の幅方向の両側が、搬送方向の略全長にわたって、インク等の影響によりカールされた状態になる。この状態で、印刷用紙が第２ガイドローラに搬送されると、印刷用紙とレジストローラとの相対位置がずれやすい。この結果、印刷用紙の搬送不良が生じやすいといった課題がある。
【０００６】
本発明は、上述した課題を解決するために創案されたものであり、搬送不良を抑制できる搬送装置を提供することを目的としている。
【課題を解決するための手段】
【０００７】
上記目的を達成するために、請求項１に記載の発明は、片面印刷済みの印刷用紙及び未印刷の印刷用紙を搬送する合流搬送部と、片面印刷済みの印刷用紙を前記合流搬送部にガイドする第１ガイド板及び第２ガイド板と、未印刷の印刷用紙を前記合流搬送部にガイドする第３ガイド板及び第４ガイド板とを備え、前記第１ガイド板と第２ガイド板との搬入口の開口角度は、前記第３ガイド板と前記第４ガイド板との搬入口の開口角度よりも大きいことを特徴とする。
【０００８】
また、請求項２に記載の発明は、前記第１ガイド板また前記第２ガイド板の搬入口側の端部と前記合流搬送部との間に設けられ、前記片面印刷済みの印刷用紙を前記合流搬送部へと引き込む引き込み搬送部を備えることを特徴とする。
【０００９】
また、請求項３に記載の発明は、前記引き込み搬送部は、前記片面印刷済みの印刷用紙の未印刷面側に配置されていることを特徴とする。
【００１０】
また、請求項４に記載の発明は、前記引き込み搬送部を制御する制御部を備え、前記制御部は、前記片面印刷済みの印刷用紙が前記第１ガイド板と前記第２ガイド板との間に搬入される搬入速度よりも、前記引き込み搬送部による搬送速度を速く制御することを特徴とする。
【発明の効果】
【００１１】
請求項１に記載の発明は、未印刷の印刷用紙が搬入される搬入口の開口角度よりも片面印刷済みの印刷用紙が搬入される搬入口の開口角度を大きくすることにより、片面印刷済みの印刷用紙を第１ガイド板及び第２ガイド板によって、容易に合流搬送部へとガイドすることができる。この結果、本発明は、印刷用紙の搬送不良を抑制できる。
【００１２】
また、請求項２に記載の発明は、引き込み搬送部によって印刷用紙を引き込むことによって、円滑に印刷用紙を合流搬送部へ搬送できる。
【００１３】
また、請求項３に記載の発明は、未印刷面側に引き込み搬送部を配置することにより、印刷された画像の劣化を抑制できる。
【００１４】
また、請求項４に記載の発明は、印刷用紙に耳折れ部がある場合、搬入された印刷用紙の耳折れ部が引き込み搬送部によって加速されるので、印刷用紙の耳折れを低減できる。
【図面の簡単な説明】
【００１５】
【図１】第１実施形態による印刷装置の全体概略図である。
【図２】合流部の概略側面図である。
【図３】合流部のガイド部材の開口角度を説明する図である。
【図４】第２実施形態による合流部の概略側面図である。
【図５】第３実施形態による合流部の概略側面図である。
【発明を実施するための形態】
【００１６】
（第１実施形態）
以下、図面を参照して、本発明の搬送装置が設けられた水性インク用のインクジェット型両面印刷装置による第１実施形態について説明する。尚、ここでいう水性インクとは、水分を含むインクのことであり、Ｏ／Ｗ（Oil in Water）型及びＷ／Ｏ（Water in Oil）型のエマルションインクをも含む概念である。図１は、第１実施形態による両面印刷装置の全体概略図である。図２は、合流部の概略側面図である。図３は、合流部のガイド部材の開口角度を説明する図である。
【００１７】
尚、図１の太線で示す経路が、印刷用紙が搬送される搬送経路である。搬送経路のうち実線及び点線で示す経路が通常経路ＲＣである。搬送経路のうち一点鎖線で示す経路が、反転経路ＲＲである。搬送経路のうち二点鎖線で示す経路が、給紙経路ＲＳである。
【００１８】
図１に示すように、両面印刷装置１は、給紙部２と、印刷部３と、乾燥部４と、排紙部５と、反転部６と、合流部７と、各部を収納する筐体８と、各部を制御する制御部９とを備えている。尚、請求項の搬送装置は、印刷部３の一部（後述するレジストローラ２１）と合流部７を有する。
【００１９】
給紙部２は、印刷用紙ＰＡを給紙するものである。給紙部２は、搬送経路の最も上流側に配置されている。給紙部２は、サイド給紙台１１と、複数の内部給紙台１２ａ、１２ｂ、１２ｃ、１２ｄと、複数対の給紙ローラ１３とを備えている。サイド給紙台１１及び内部給紙台１２ａ〜１２ｄには、給紙される印刷用紙ＰＡが積層される。給紙ローラ１３は、各給紙台１１、１２ａ〜１２ｄから印刷用紙ＰＡを搬送して印刷部３へと給紙する。
【００２０】
印刷部３は、印刷用紙ＰＡを搬送しつつ、印刷用紙ＰＡに画像を印刷する。印刷部３は、給紙部２の下流側に配置されている。印刷部３は、レジストローラ（請求項の合流搬送部に相当）２１と、ベルト搬送部２２と、インクジェットヘッド２３Ｋ、２３Ｃ、２３Ｍ、２３Ｙとを備えている。
【００２１】
レジストローラ２１は、合流部７を介して、給紙部２から給紙された未印刷の印刷用紙ＰＡをベルト搬送部２２へと搬送する。また、レジストローラ２１は、合流部７を介して、反転部６から再給紙される片面印刷済みの印刷用紙ＰＡをベルト搬送部２２へと搬送する。
【００２２】
ベルト搬送部２２は、レジストローラ２１から搬送された印刷用紙ＰＡを吸引しつつ、乾燥部４へと搬送する。ベルト搬送部２２は、４個のプーリ２５と、搬送ベルト２６と、吸引ファン２７とを備えている。搬送ベルト２６は、４個のプーリ２５にわたって掛けられている。搬送ベルト２６には、複数の吸引孔が形成されている。吸引ファン２７は、下方向への気流を生じさせる。これにより、印刷用紙ＰＡが、搬送ベルト２６の吸引孔に吸引される。
【００２３】
インクジェットヘッド２３Ｋ、２３Ｃ、２３Ｍ、２３Ｙは、水性インクを印刷用紙ＰＡへと吐出して、画像を印刷する。インクジェットヘッド２３Ｋ、２３Ｃ、２３Ｍ、２３Ｙには、それぞれ黒色インク、シアン色インク、マゼンダ色インク、黄色インクが供給される。
【００２４】
乾燥部４は、印刷済みの印刷用紙ＰＡを乾燥しつつ搬送する。乾燥部４は、印刷部３の下流側に配置されている。乾燥部４は、乾燥炉３１と、３対の搬送ローラ３２と、加熱送風部３３とを備えている。
【００２５】
乾燥炉３１は、印刷用紙ＰＡをガイドしつつ、加熱送風部３３から送られる加熱気体を貯溜するものである。乾燥炉３１は、通常経路ＲＣに沿って構成されている。乾燥炉３１の内部には、印刷用紙ＰＡの通常経路ＲＣの一部を構成する搬送空間（図示略）が形成されている。搬送ローラ３２は、乾燥炉３１の内部の印刷用紙ＰＡを搬送する。加熱送風部３３は、乾燥炉３１の内部に加熱気体を送風する。これにより、印刷された印刷用紙ＰＡは、乾燥炉３１の内部を搬送されつつ、乾燥される。
【００２６】
排紙部５は、印刷済みの印刷用紙ＰＡを排紙して、積層する。排紙部５は、乾燥部４の下流側に配置されている。排紙部５は、通常経路ＲＣの最も下流側に配置されている。排紙部５は、切替機構４１と、２対の排紙ローラ４２と、排紙台４３とを備えている。
【００２７】
切替機構４１は、通常経路ＲＣと両面印刷用の反転経路ＲＲとの間で印刷用紙ＰＡの搬送経路を切り替るものである。印刷用紙ＰＡは、切替機構４１によって排紙台４３または反転部６の何れかに搬送される。排紙ローラ４２は、印刷用紙ＰＡを排紙台４３へと排紙するものである。排紙台４３は、排紙ローラ４２によって搬送された印刷済みの印刷用紙ＰＡが載置されるものである。排紙台４３は、排紙揃えを向上させるために傾斜されている。
【００２８】
反転部６は、片面が印刷された印刷用紙ＰＡを反転させて印刷部３へと搬送するものである。反転部６は、１対の往路ローラ６１と、フリッパ６２と、１対の往復ローラ６３と、スイッチバック部６４と、１対の復路ローラ６５とを備えている。
【００２９】
往路ローラ６１は、切替機構４１を介して、乾燥部４から搬送される片面印刷済みの印刷用紙ＰＡを、往復ローラ６３へと搬送する。フリッパ６２は、往路ローラ６１により搬送される印刷用紙ＰＡを往復ローラ６３へとガイドする。また、フリッパ６２は、往復ローラ６３により搬送される印刷用紙ＰＡを復路ローラ６５へとガイドする。
【００３０】
往復ローラ６３は、スイッチバック部６４へと印刷用紙ＰＡを搬入する。また、往復ローラ６３は、スイッチバック部６４から搬出された印刷用紙ＰＡを復路ローラ６５へと搬送する。尚、スイッチバック部６４へと搬入する際の往復ローラ６３の回転方向と、スイッチバック部６４から搬出する場合の往復ローラ６３の回転方向は、逆方向である。スイッチバック部６４は、往復ローラ６３によって搬入された印刷用紙ＰＡを往復ローラ６３へと搬出するものである。スイッチバック部６４は、排紙台４３の内部に形成された中空部によって構成されている。復路ローラ６５は、往復ローラ６３から搬送された印刷用紙ＰＡをレジストローラ２１へと搬送する。
【００３１】
図２及び図３に示すように、合流部７は、印刷済みの印刷用紙ＰＡと、未印刷の印刷用紙ＰＡとをレジストローラ２１へとガイドするものである。合流部７は、５枚のガイド板７１、７２、７３、７４、７５を有する。ガイド板７１、７２が、請求項の第１ガイド板または第２ガイド板に相当する。ガイド板７２、７３、７４、７５が、請求項の第３ガイド板または第４ガイド板に相当する。
【００３２】
尚、以下の説明おいて、搬入口の開口角度とは、１対のガイド板の接線と接線との間の角度のことである。ここで、ガイド板の搬入側端部が円弧状の場合は、ガイド板の搬入口側端部の接線を、そのガイド板の接線とする。また、ガイド板が複数の平面板が連なり折れ曲がった形状の場合は、搬入経路（図４の矢印参照）の線上に存在する平面部の接線方向（延長線の方向）を、そのガイド板の接線方向とする。ガイド板が複数の平面板が連なり折れ曲がった形状の場合で、搬入経路の線上に平面部が存在しない場合、搬入経路の最も近傍に存在する平面部の接線方向を、そのガイド板の接線方向とする。更に、ガイド板が１枚の平面状に形成されている場合は、ガイド板の接線方向を、そのガイド板の接線方向とする。
【００３３】
ガイド板７１とガイド板７２は、反転部６から搬送される片面印刷済みの印刷用紙ＰＡをレジストローラ２１へとガイドするためのものである。ガイド板７１及びガイド板７２の幅は、印刷可能な最大幅の印刷用紙ＰＡの幅と略等しく形成されている。ガイド板７１の搬入口側の端部は、円弧状に形成されている。これにより、印刷用紙ＰＡがガイド板７１とガイド板７２の間へ円滑に搬入される。ガイド板７２の途中部は、屈曲されている。ガイド板７１は、反転経路ＲＲを挟み、ガイド板７２の反対側に配置されている。ガイド板７１とガイド板７２による搬入口は、反転部６へ向けて開口されている。ガイド板７１とガイド板７２による搬入口の開口角度は、θ１である。ガイド板７１とガイド板７２による搬出口は、レジストローラ２１の近傍に配置されている。ガイド板７１とガイド板７２は、搬入口から搬出口へ徐々に狭くなるように配置されている。
【００３４】
ガイド板７２とガイド板７３は、サイド給紙台１１から給紙される未印刷の印刷用紙ＰＡをレジストローラ２１へとガイドするためのものである。ガイド板７２及びガイド板７３の幅は、印刷可能な最大幅の印刷用紙ＰＡの幅と略等しく形成されている。ガイド板７２は、サイド給紙台１１からの給紙経路ＲＳを挟み、ガイド板７３の反対側に配置されている。ガイド板７２とガイド板７３による搬入口は、サイド給紙台１１に向けて開口されている。ガイド板７２とガイド板７３による搬入口の開口角度は、θ２である。ガイド板７２とガイド板７３による搬出口は、レジストローラ２１の近傍に配置されている。ガイド板７２とガイド板７３は、搬入口から搬出口へ徐々に狭くなるように配置されている。
【００３５】
ガイド板７４とガイド板７５は、内部給紙台１２ａ〜１２ｄから給紙される未印刷の印刷用紙ＰＡをレジストローラ２１へとガイドするためのものである。ガイド板７４及びガイド板７５の幅は、印刷可能な最大幅の印刷用紙ＰＡの幅と略等しく形成されている。ガイド板７５は、円弧状に形成されている。これにより、印刷用紙ＰＡがレジストローラ２１へ円滑に搬出される。ガイド板７４は、内部給紙台１２ａ〜１２ｄからの給紙経路ＲＳを挟み、ガイド板７５の反対側に配置されている。ガイド板７４とガイド板７５による搬入口は、内部給紙台１２ａ〜１２ｄの方向へ向けて開口されている。ガイド板７４とガイド板７５による搬入口の開口角度は、θ３である。ガイド板７４とガイド板７５による搬出口は、レジストローラ２１の近傍に配置されている。ガイド板７４とガイド板７５は、搬入口から搬出口へ徐々に狭くなるように配置されている。
【００３６】
ここで、反転部６から給紙される印刷用紙ＰＡは、片面に印刷された水性インクの影響によりカールされている。一方、給紙台１１、１２ａ〜１２ｄから給紙される印刷用紙ＰＡは、未印刷のため略平面状に保たれている。即ち、反転部６から搬送される印刷用紙ＰＡの搬入口は、給紙台１１、１２ａ〜１２ｄから給紙される印刷用紙ＰＡの搬入口よりも大きい方がよい。
この点を考慮して、両面印刷装置１では、開口角度θ１は、開口角度θ２、θ３よりも大きく設定されている。即ち、
θ１＞θ２      θ１＞θ３
となるように、ガイド板７１〜７５の形状及び配置が設定されている。
【００３７】
（印刷動作）
次に、上述した第１実施形態による両面印刷装置１の印刷動作について説明する。
【００３８】
まず、片面印刷動作について説明する。最初、未印刷の印刷用紙ＰＡは、給紙台１１、１２ａ〜１２ｄの何れかから給紙ローラ１３により給紙経路ＲＳに沿って給紙される。ここで、サイド給紙台１１から給紙される印刷用紙ＰＡは、合流部７のガイド板７２とガイド板７３とにガイドされつつ、印刷部３のレジストローラ２１へと搬送される。一方、内部給紙台１２ａ〜１２ｄから給紙される印刷用紙ＰＡは、合流部７のガイド板７４とガイド板７５とにガイドされつつ、印刷部３のレジストローラ２１へと搬送される。
【００３９】
印刷部３では、印刷用紙ＰＡは、レジストローラ２１によって搬送された後、吸引ファン２７によって搬送ベルト２６に吸引されて搬送される。そして、印刷用紙ＰＡは、搬送されつつ、インクジェットヘッド２３Ｋ〜２３Ｙによって吐出された水性インクにより、画像が印刷される。ここで、印刷用紙ＰＡは、印刷された水性インクによってカール状に変形される。印刷後、印刷用紙ＰＡは、ベルト搬送部２２によって更に搬送されて、乾燥部４の乾燥炉３１へと搬入される。
【００４０】
乾燥部４では、印刷用紙ＰＡは、乾燥炉３１の内面によってガイドされつつ、搬送ローラ３２によって乾燥炉３１の内部の搬送空間を搬送される。ここで、乾燥炉３１の搬送空間には、加熱送風部３３から加熱気体が送風されている。この加熱気体は、乾燥炉３１の搬送空間に沿って流れる。これにより、乾燥炉３１の内部を搬送される印刷用紙ＰＡは、加熱気体の中を搬送されることになる。このため、水性インクによって湿った印刷用紙ＰＡが乾燥炉３１の内部で乾燥されるとともに、水性インク中の水分が印刷用紙ＰＡの裏面まで迅速に浸透する。この結果、印刷用紙ＰＡのカール量が減衰する。この後、印刷用紙ＰＡは、乾燥炉３１から排出されて、排紙部５へと搬送される。排紙部５では、印刷用紙ＰＡは、切替機構４１によりガイドされつつ、排紙ローラ４２によって排紙台４３に排紙される。これにより、片面印刷動作が終了する。
【００４１】
次に、両面印刷動作について説明する。まず、片面印刷時と同様に、画像が、印刷用紙ＰＡの一方の面（以下、第１印刷面という）に印刷された後、印刷用紙ＰＡが切替機構４１まで搬送される。両面印刷動作では、印刷用紙ＰＡは、切替機構４１によって反転部６の反転経路ＲＲへとガイドされる。反転部６では、印刷用紙ＰＡは、フリッパ６２にガイドされつつ、往路ローラ６１によって往復ローラ６３へと搬送される。次に、印刷用紙ＰＡは、往復ローラ６３によってスイッチバック部６４へと一時的に搬入された後、往復ローラ６３へと搬出される。そして、印刷用紙ＰＡは、フリッパ６２にガイドされつつ、往路とは逆回転された往復ローラ６３によって復路ローラ６５へと搬送される。この結果、印刷用紙ＰＡは、反転されて、合流部７へと搬送される。ここで、印刷用紙ＰＡの幅方向の両側は、水性インクの影響により、搬送方向の略全長にわたってカールされている。しかし、ガイド板７１とガイド板７２と開口角度θ１は、開口角度θ２、θ３よりも大きく設定されている。これにより、印刷用紙ＰＡは、カールされていても、ガイド板７１とガイド板７２との間に円滑に搬入される。この後、印刷用紙ＰＡは、ガイド板７１とガイド板７２とによりガイドされつつ、復路ローラ６５によって印刷部３のレジストローラ２１へと再給紙される。
【００４２】
印刷部３では、印刷用紙ＰＡは、レジストローラ２１及びベルト搬送部２２によって搬送される。ここで、印刷用紙ＰＡの他方の面（以下、第２印刷面という）が、インクジェットヘッド２３Ｋ〜２３Ｙ側に向けられて搬送される。これにより、画像が、インクジェットヘッド２３Ｋ〜２３Ｙによって、印刷用紙ＰＡの第２印刷面に印刷される。この後、両面印刷された印刷用紙ＰＡは、乾燥部４によって乾燥されつつ搬送される。次に、印刷用紙ＰＡは、切替機構４１にガイドされて、排紙部５へと搬送される。この後、印刷用紙ＰＡは、排紙台４３へと排紙される。これにより、第１印刷面及び第２印刷面に画像が印刷された両面印刷動作が終了する。
【００４３】
（印刷装置の効果）
次に、上述した第１実施形態による両面印刷装置１の効果について説明する。
【００４４】
上述したように両面印刷装置１の合流部７では、片面印刷済みの印刷用紙ＰＡが搬入される搬入口の開口角度θ１が、未印刷の印刷用紙ＰＡが搬入される搬入口の開口角度θ２、θ３よりも大きい。これにより、合流部７は、片面が印刷されてカール状態の印刷用紙ＰＡを円滑にガイド板７１、７２の間に搬入して、レジストローラ２１へとガイドできる。この結果、両面印刷装置１は、合流部７からレジストローラ２１への印刷用紙ＰＡの搬送不良を抑制できる。更に、両面印刷装置１では、合流部７での搬送不良の少ない未印刷の印刷用紙ＰＡのための搬入口の開口角度θ２、θ３を小さくしているので、合流部７の小型化を実現できる。即ち、両面印刷装置１は、搬送不良を抑制しつつ、小型化を実現できる。
【００４５】
（第２実施形態）
次に、上述した実施形態の合流部を変更した第２実施形態について説明する。図４は、第２実施形態による合流部の概略側面図である。尚、上述した実施形態と同様の構成には、同じ符号を付けて説明を省略する。
【００４６】
図４に示すように、第２実施形態による合流部７Ａは、再給紙用の上側引き込みローラ（請求項の引き込み搬送部に相当）８１を備えている。上側引き込みローラ８１は、片面印刷済みの印刷用紙ＰＡをレジストローラ２１へと引き込むものである。上側引き込みローラ８１は、ガイド板７１の搬入側端部とレジストローラ２１との間に配置されている。上側引き込みローラ８１の一部は、ガイド板７１に形成された開口窓７１ａに挿入された状態で配置されている。ここで、合流部７Ａに搬入される片面印刷済み印刷用紙ＰＡの上面は、未印刷面（第２印刷面）である。即ち、上側引き込みローラ８１は、片面印刷済み印刷用紙ＰＡの未印刷面側に配置されている。
【００４７】
上側引き込みローラ８１は、制御部９（図１参照）により制御される引き込みモータ（図示略）によって回転駆動力が与えられる。制御部９は、ガイド板７１とガイド板７２との間に搬入される印刷用紙ＰＡの搬入速度よりも、上側引き込みローラ８１による搬送速度が速くなるように、上側引き込みローラ８１を制御する。即ち、制御部９は、復路ローラ６５の搬送速度よりも上側引き込みローラ８１の搬送速度が速くなるように制御する。
【００４８】
上述したように第２実施形態による合流部７Ａでは、反転部６の復路ローラ６５によって搬送された片面印刷済みの印刷用紙ＰＡがガイド板７１とガイド板７２との間に搬入される。この印刷用紙ＰＡに耳折れ（端部の折れ）がある場合、印刷用紙ＰＡがガイド板７１、７２にガイドされつつ、上側引き込みローラ８１によって耳折れ部ＰＡａが加速される。このように印刷用紙ＰＡの耳折れ部ＰＡａを加速することにより、第３実施形態の合流部７Ａは、片面印刷済みの印刷用紙ＰＡの耳折れを低減することができる。更に、合流部７Ａは、未印刷面側に上側引き込みローラ８１を配置することにより、円滑に印刷用紙ＰＡをレジストローラ２１へ搬送しつつ、画像の劣化を抑制できる。
【００４９】
また、第２実施形態においても第１実施形態と同様の効果を奏することができる。
【００５０】
（第３実施形態）
次に、上述した実施形態の合流部を変更した第３実施形態について説明する。図５は、第３実施形態による合流部の概略側面図である。尚、上述した実施形態と同様の構成には、同じ符号を付けて説明を省略する。
【００５１】
図５に示すように、第３実施形態による合流部７Ｂは、再給紙用の下側引き込みローラ８２を備えている。下側引き込みローラ８２は、ガイド板７２の搬入側端部とレジストローラ２１との間に配置されている。下側引き込みローラ８１の一部は、ガイド板７２に形成された開口窓７２ａ（図示略）に挿入された状態で配置されている。これにより、両引き込みローラ８１、８２は、印刷用紙ＰＡを挟持（ニップ）して搬送することができる。
【００５２】
ここで、引き込みローラ８１、８２の表面の摩擦係数は、レジストローラ２１、２１の表面の摩擦係数よりも小さい方が好ましい。一例として、引き込みローラ８１、８２の表面をＰＯＭ（ポリアセタール）で構成して、レジストローラ２１、２１の表面をＮＢＲ（アクリルニトリルブタジエン）により構成することが考えられる。
【００５３】
このように引き込みローラ８１、８２の摩擦係数をレジストローラ２１、２１の摩擦係数よりも小さくすることにより、レジストローラ２１、２１による挟持力を大きくすることができる。この結果、引き込みローラ８１、８２とレジストローラ２１、２１との間での搬送不良を抑制できる。
【００５４】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【００５５】
上述した実施形態における各構成の形状、配置、数、材質等は適宜変更可能である。
【００５６】
例えば、ガイド板の形状、配置、数は適宜変更可能である。上述した実施形態では、ガイド板７２を兼用したが、ガイド板７２を２枚によって構成してもよい。また、ガイド板７３とガイド板７４とを１枚のガイド板によって構成してもよい。
【００５７】
また、乾燥炉の内部を加熱する手段は加熱送風部に限定されるものではなく、印刷用紙に熱を加えることができる形態であればよい。例えば、加熱のみ可能な加熱器を乾燥炉内部の搬送空間に配置した構成としてもよい。
【００５８】
また、各ローラは、他の搬送手段に変更してもよい。例えば、レジストローラや引き込みローラの代わりに、ベルトによる搬送手段を同じ個所に適用してもよい。
【符号の説明】
【００５９】
１     両面印刷装置
２     給紙部
３     印刷部
６     反転部
７、７Ａ、７Ｂ       合流部
９     制御部
１３   給紙ローラ
２１   レジストローラ
２３Ｋ、２３Ｃ、２３Ｍ、２３Ｋ     インクジェットヘッド
７１〜７５    ガイド板
７１ａ、７２ａ       開口窓
８１   上側引き込みローラ
８２   下側引き込みローラ
ＰＡ   印刷用紙
ＲＣ   通常経路
ＲＲ   反転経路
ＲＳ   給紙経路
θ１   開口角度
θ２、θ３    開口角度
【図１】
2011053284.tif 000003
【図２】
2011053284.tif 000004
【図３】
2011053284.tif 000005
【図４】
2011053284.tif 000006
【図５】
2011053284.tif 000007